(57)【要約】【課題】簡単な構造のカット刃で皮膚を傷つけることなく耳や鼻内の毛を切断する。【解決手段】外側へＶ字状に拡開する１本あるいは複数本の案内溝４を円筒体の長さ方向にそって形成するとともに案内溝４の底部間には一対のカット刃５を形成した切断部２と、この切断部２を回転または反転させる柄部３とからなるものであり、切断部２を耳や鼻内に入れ、回転または反転させることで毛を切り取る。  また、外側へＶ字状に拡開する案内溝４に面して円筒体の内面に一対の金属製カット刃６を設け、カット刃６の刃先は案内溝４に突出させてある。更に、切断部２の案内溝４に面する両端部に金属製のカット刃６を嵌め込み、刃先を案内溝４間に突出してある。更にまた、切断部２の案内溝４に面する両端部に固定溝７を形成し、カット刃６は、切断部２の先端側から固定溝７に着脱可能としたものである。【選択図】図１
2005211356.tif 000002
【特許請求の範囲】
【請求項１】
外側へＶ字状に拡開する案内溝４を円筒体の長さ方向にそって形成するとともに案内溝４の底部間には一対のカット刃５を形成した切断部２と、この切断部２を回転または反転させる柄部３とからなることを特徴とする耳鼻の掃除具。
【請求項２】
円筒体に形成した案内溝４は１本である請求項１に記載する耳鼻の掃除具。
【請求項３】
円筒体に形成した案内溝４は２本以上複数本である請求項１に記載する耳鼻の掃除具。
【請求項４】
案内溝４に面して円筒体の内面に一対の金属製カット刃６を設け、カット刃６の刃先は案内溝４に突出させたものである請求項１、２および３に記載する耳鼻の掃除具。
【請求項５】
切断部２の案内溝４に面する両端部に金属製のカット刃６を嵌め込み、刃先を案内溝４間に突出したものである請求項１、２および３に記載する耳鼻の掃除具。
【請求項６】
切断部２の案内溝４に面する両端部に固定溝７を形成し、カット刃６は、切断部２の先端側から固定溝７に着脱可能としたものである請求項１、２および３に記載する耳鼻の掃除具。
【請求項７】
切断部２の表面に布製の清掃材８を設けたものである請求項１乃至６に記載する耳鼻の掃除具。
【請求項８】
切断部２は長形板体を螺旋状に巻きまわしたものである請求項１乃至７に記載する耳鼻の掃除具。
【請求項９】
切断部２は網目構造としたものである請求項１乃至７に記載する耳鼻の掃除具。
【発明の詳細な説明】
【技術分野】
【０００１】
本発明は耳鼻の掃除具に関し、特に、耳孔や鼻孔内の毛を切り取るあるいは剃り取るための掃除具に関するものである。
【背景技術】
【０００２】
耳孔や鼻孔内には毛が生えており、この毛は埃を捕集する効能を有しているので必ずしも無駄なものではない。しかし、長く伸びて外部から見えたり、孔の外に伸び出るのは周りの者に不潔感や不快感を与えるものである。このため定期的にあるいは適当な時期に毛を切り取る必要がある。
【０００３】
鼻毛は、鏡を見ながら小さな鋏を使用して切り取ることができるが、誤って鋏の先端が皮膚に突き刺さり思わぬ怪我をすることがある。また、耳の中は自分で見ることができないので、毛を切り取る場合には他の人に切ってもらう必要がある。しかし、耳の中は狭く、複雑な構造となっているので、鋏を使用して毛を切り取る際、鼓膜や皮膚を傷つける危険性を有していた。
【特許文献１】特開平７−２２２６９４号
【特許文献２】特開平１１−９４９１号
【発明の開示】
【発明が解決しようとする課題】
【０００４】
そこで、従来、特許文献１、２に示すようなカッターが提供されている。このカッターは、毛をカットするための刃を駆動モータによって回転させ、耳や鼻内の毛を切断するものである。
しかし、これらのカッターは種々の部品を使用して複雑な構造であり、高価なものであり、一般家庭で常備するのは不適当、不経済なものである。また、たとえ親子や兄弟が使用したものであっても、刃には切り取った毛や耳垢、鼻くそ等が付着しており、そのまま使用するのは非衛生的である。
【０００５】
本発明は、極めて簡単な形状の刃で耳や鼻の毛を切り取りあるいは剃り取ることができ、皮膚を傷つけることがなく、しかも自分専用で使用し、使い捨て可能な耳鼻の掃除具を提供するものである。
【課題を解決するための手段】
【０００６】
上記の目的を達成するために本発明耳鼻の掃除具は、外側へＶ字状に拡開する案内溝４を円筒体の長さ方向にそって形成するとともに案内溝４の底部間には一対のカット刃５を形成した切断部２と、この切断部２を回転または反転させる柄部３とからなるものである。円筒体に形成した案内溝４は１本あるいは２本以上複数本である。
【０００７】
また、本発明耳鼻の掃除具は、外側へＶ字状に拡開する案内溝４に面して円筒体の内面に一対の金属製カット刃６を設け、カット刃６の刃先は案内溝４に突出させたものである。更に、切断部２の案内溝４に面する両端部に金属製のカット刃６を嵌め込み、刃先を案内溝４間に突出したものである。更にまた、切断部２の案内溝４に面する両端部に固定溝７を形成し、カット刃６は、切断部２の先端側から固定溝７に着脱可能としたものである。そして、上記する掃除具において切断部２の表面に布製の清掃材８を設けたものである。
【発明の効果】
【０００８】
本発明掃除具は、切断部２を構成する円筒体の長さ方向にそって形成した案内溝４の底部間に一対のカット刃５を形成してあるので、切断部２に連結した柄部３を持って切断部２を耳や鼻内に入れ、一方向へ回転させたり、反転させることで毛は案内溝４を通してカット刃５間に入り、切断することができる。従って、耳毛も危険なく自分で切り取ることができる。
【０００９】
複数本の案内溝４を形成し、それぞれの案内溝４にカット刃５を設けることで一時に多くの毛を切り取ることができる。また、カット刃５に変えて金属製のカット刃６を取り付けることで繰り返し毛の切り取りが可能であり、カット刃６を交換可能とすることで長期間使用することができる。
【００１０】
切断部２の表面を清掃材８で覆うか、柄部３の端部に綿球８を設けることにより、毛を切り取った後、清掃材８や綿球９で耳や鼻内を拭くことにより内部を綺麗に保つことができる。
【００１１】
切断部２を螺旋構造または網目構造とすることにより、少ない回転で多くの毛をカット刃５、６間に取り入れることができ、少ない回転で効率よく毛を切断することができるものである。
【発明を実施するための最良の形態】
【００１２】
以下、図面に従って本発明の実施の形態を詳細に説明する。
図１、図２は、本発明掃除具の第１の実施形態を示すものであり、掃除具本体１は、円筒状の切断部２と丸棒状の柄部３とからなっている。合成樹脂材あるいは金属材からなる切断部２は、円筒体の長さ方向にそって外向きにＶ字状に拡開する案内溝４を形成し、案内溝４を形成する円筒体の端面底部、即ち、円筒体の円周端面と内周面との角部には相対するカット刃５を形成したものである。このカット刃５は、図３に拡大して示すように極めて鋭利な刃先を有しており、案内溝４を通してカット刃５間に入った毛を切り取ることができるようになっている。
【００１３】
また、合成樹脂材からなる柄部３は、切断部２の一端側に固定したものであり、切断部２の軸芯にそって延長方向に設けてあり、切断部２を円周方向に回転あるいは反転させることができるようになっている。図面では長く形成してあるが、指で持って切断部２を回転または反転させることができる長さであればよい。
【００１４】
切断部２は、例えば、長さＬは５〜１２ｍｍ、円筒体の外径は７〜１０ｍｍ、板厚は１〜３ｍｍ位が望ましいが、耳や鼻内に差し込んで回転あるいは反転させることができる大きさを有していれば大きさは任意に選ぶことができる。また、カット刃５間は、少なくとも毛が入り得る広さがあればよい。また、柄部３としては、従来の綿棒に使用しているものを使用可能である。
【００１５】
本発明は上記の構成であり、耳や鼻内の毛を切る場合には、柄部３を持ち、切断部２を先端側から耳や鼻に入れればよく、毛は案内溝４を通してカット刃５間に入るので、切断部２をいずれか側に回転させれば片側のカット刃５で毛は切り取られる。更に、切断部２を一方向に回転させるか反転させることにより、毛は案内溝４を通してカット刃５間に入るので切断が可能となる。
【００１６】
案内溝４は、外側に向けて広がった形状を有しているので、傾斜面にそって毛をカット刃５間に案内しやすいようになっている。切断部２の板厚が薄ければ、毛を毛根近くから剃り取るようになる。切断された毛は、切断部２内に残っているので、切断部２を耳や鼻から引き出して毛を取り出せばよい。
【００１７】
上記の実施形態においては、円筒体に一本の案内溝４を形成し、一対のカット刃５を設けた場合であるが、本発明はこれに限定するものではない。図４は第２の実施形態を示すものであり、図４の（Ａ）、（Ｂ）および（Ｃ）に示すように円筒体の円周方向にそって２本、３本あるいは４本等の複数の案内溝４を形成し、それぞれの案内溝４内に一対のカット刃５を設けてもよい。
【００１８】
このように切断部２に複数のカット部を形成しておけば、切断部２を回転あるいは反転させた時、各案内溝４からカット刃５内に毛が入るので、一時に多くの毛を切断することができる。何本の案内溝４を形成するかは、切断部２の径の大きさによって選べばよい。
【００１９】
図５は、本発明の第３の実施形態を示すものであり、前記の各実施形態と同じ部分は同じ符号を使用している。
この実施形態においては切断部２に形成したカット刃５を使用することなく、案内溝４に面して円筒体の内面に一対の金属製カット刃６を設けたことに特徴を有している。例えば、切断部２を合成樹脂で作成した場合、数回毛を切断することでカット刃５の切れ味が悪くなるが、別にカット刃６を設けることで長期間の使用が可能である。カット刃６を設けたことにより、前記実施形態の場合に比較して案内溝４の間隔は少し大きくなっている。
【００２０】
一般に使用されているカミソリ刃のような鋭い刃先を有している金属製のカット刃６は、刃先が案内溝４内に突出するように円筒体の内面に、例えば、接着剤を使用して張り付け、固定すればよい。前記と同じように切断部２を耳や鼻の中に入れ、回転または反転させれば、案内溝４とほぼ同じ長さを有しているカット刃６により毛を切ることができるものである。切断部２を図４のように複数に分割した場合、各案内溝４に面してカット刃６を設ければよい。尚、合成樹脂材に限らず金属製切断部２の場合にでもカット刃６を取り付けるようにしてもよい。
【００２１】
図６は、本発明の第４の実施形態を示すものであり、前記の各実施形態と同じ部分は同じ符号を使用している。
この実施形態においては、切断部２の案内溝４に面する両端部に前記と同じカット刃６を嵌め込み、刃先を案内溝４間に突出したことに特徴を有している。このような構成としたことにより、切断部２を耳や鼻内に入れ、回転または反転させて案内溝４内に入った毛をカット刃６で切ることができる。
【００２２】
特に、カット刃６は、差し抜き可能としておけば、刃先の切れ味が悪くなった時、カット刃６のみを変えて使用することができる。このためには、図７に示すように、案内溝４に面して切断部２の円周端部長さ方向にはカット刃６を嵌め込み可能な固定溝７を形成しておけばよい。カット刃６は、切断部２の先端側から固定溝７内に差し込めばよく、また、抜き取ることも可能である。この実施形態の場合も切断部２を図４のように複数に分割した場合、各案内溝４に面して切断部２の円周端部にカット刃６を設ければよい。
【００２３】
上記の各実施形態における掃除具１は、耳や鼻内の毛を切るだけである。しかし、切断された小さな毛屑が耳や鼻の中に残っていることがある。図８は、本発明の第５の実施形態を示すものである。この実施形態においては切断部２の表面に布製清掃材８を設けたことに特徴を有している。
【００２４】
清掃材８としては柔らかなガーゼや、例えば、市販の綿棒に使用している綿球材を布状に広げたもの不織布等の布材が使用可能である。これらの材質からなる清掃材８を切断部２の表面に、例えば、接着剤を使用して張り合わせればよい。毛を切断すると同時に清掃材８が耳や鼻の皮膚面に接触するので切り取った毛、耳垢、鼻くそ等を清掃材８に付着させあるいは掻き出すことができる。尚、清掃材８は、切断部２の全面に設けることなく一部を覆うようにしてもよい。
【００２５】
前記の各実施形態では切断部２のカッター刃５、６で毛を切断するのみである。このため、柄部３は、切断部２を単に回転または反転させることのみを行っていたが、図２に鎖線で示すように柄部３の端部に綿球９を設けてもよい。
このような構造とすることにより、毛を切り取った後の耳内や鼻内を綿球９で綺麗に処理することができる。尚、綿球９としては従来の綿棒で使用する材質を使用することができる。
【００２６】
図４に示すように切断部２を複数に分割した場合、切断部２の長さが短いので基端部を柄部３に固定するだけで先端部は安定して形状を維持することができる。しかし、分割先端面が皮膚に当たって怪我をする恐れがある。このため、図９に示すように、切断部２の先端面にキャップ１０を固定状態で取り付けてもよい。あるいは、図１０に示すように、キャップ１１の内側に環状の嵌込み部１２を形成し、切断部２の先端面を嵌込み部１２に嵌め入れ、着脱可能に取り付けてもよい。キャップ１１を取り外し可能としておけば、前記したカット刃６の取替えが容易である。尚、キャップ１１は簡単に外れないように切断部２に密に嵌め込んでおく必要がある。
【００２７】
図１１は、本発明の第６の実施形態を示し、前記した各実施形態と同じ部分は同じ符号を使用している。
この実施形態においては、切断部２を螺旋構造としたことに特徴を有している。即ち、合成樹脂材あるいは金属材からなる長形板体１３を螺旋状に巻き回し、板体１の長さ方向にそった両側にカット刃５を形成したものである。このような形状としたので、切断部２を耳や鼻内に入れ、回転あるいは反転させることで螺旋溝内に入り、カット刃５で切断されることになる。尚、カット刃５に変え、前記した金属製カット刃６を板体１３の長さ方向両側に固定してもよい。カット刃６の刃先を板体１３の螺旋溝に面しておけば毛の切断が可能である。
【００２８】
螺旋形状は、柄部３を基点として右回転、左回転いずれでもよく、切断部２を回転させれば、毛は螺旋溝にそってカット刃５あるいは６内に入りやすく、多くの毛を連続して切断することができる。
【００２９】
図１２は、本発明の第７の実施形態を示し、前記した各実施形態と同じ部分は同じ符号を使用している。
この実施形態においては、切断部２を網目構造としたことに特徴を有している。即ち、網目板１４により円筒体を形成し、図１３に示すように、各網目１５の内側にカット刃５を形成すればよく、柄部３を持って切断部２を回転あるいは反転させれば、毛は網目１５内に入ってカット刃５により切断可能となる。
【００３０】
カット刃５は、網目１５の全面に形成してもよく、あるいは回転方向とは直交する水平方向にのみ形成してもよい。また、カット刃５に変えて金属製のカット刃６を取り付けることも可能である。各網目１５内で毛の切断が可能であるから、回転数を少なくして多くの毛を切断することができる。図面において網目１５は、方形体の場合が示してあるが、円形の網目であってもよい。また、第６、第７いずれの実施形態の場合でも表面に清掃材８を設けてもよい。
【産業上の利用可能性】
【００３１】
本発明耳鼻の掃除具は、身体の衛生に関係するものであるから、医療器具メーカーや衛生器材メーカー等が生産可能である。消費材であるので、大量に生産して廉価に提供でき、一般商店において商品購入者に対するサービス品として提供可能である。また、カット刃５、６を使用することで刃物メーカーの受注が増えることになる。
【図面の簡単な説明】
【００３２】
【図１】本発明掃除具の第１の実施形態を示す斜視図である。
【図２】本発明掃除具の第１の実施形態を示す正面図である。
【図３】切断部の拡大した側面図である。
【図４】本発明掃除具の第２の実施形態を示すものであり、切断部を円周方向にそって２分割、３分割および４分割した状態の側面図である。
【図５】本発明掃除具の第３の実施形態を示し、切断部の円周内面にカット刃を取り付けた状態の側面図である。
【図６】本発明掃除具の第４の実施形態を示し、切断部の円周端部にカット刃を取り付けた状態の側面図である。
【図７】切断部の円周端部にカット刃を差し込む状態の斜視図である。
【図８】本発明掃除具の第５の実施形態を示す切断部に清掃材を設けた側面図である。
【図９】切断部の先端にキャップを固定した状態の斜視図である。
【図１０】キャップと切断部とを着脱可能とした状態の断面図である。
【図１１】本発明掃除具の第６の実施形態を示す螺旋構造とした切断部の正面図である。
【図１２】本発明掃除具の第７の実施形態を示す網目構造とした切断部の正面図である。
【図１３】網目を拡大して示す正面図である。
【符号の説明】
【００３３】
１  掃除具本体
２  円筒状切断部
３  丸棒状柄部
４  案内溝
５  カット刃
６  カット刃
７  固定溝
８  清掃材
９  綿球
１０  キャップ
１１  キャップ
１２  環状嵌込み部
１３  長形板体
１４  網目板
１５  網目
【図１】
2005211356.tif 000003
【図２】
2005211356.tif 000004
【図３】
2005211356.tif 000005
【図４】
2005211356.tif 000006
【図５】
2005211356.tif 000007
【図６】
2005211356.tif 000008
【図７】
2005211356.tif 000009
【図８】
2005211356.tif 000010
【図９】
2005211356.tif 000011
【図１０】
2005211356.tif 000012
【図１１】
2005211356.tif 000013
【図１２】
2005211356.tif 000014
【図１３】
2005211356.tif 000015